(57)【要約】【課題】オゾンを効果的に除去できる空気浄化装置と、これを備えた空気調節装置を提供する。 【解決手段】下流側で２つの分岐路３ａ、３ｂに分岐されてなる通風路３と、通風路３内に配された送風ファン４と、分岐点よりも上流側の通風路３内に配され放電プラズマを発生させる放電プラズマ素子５と、通風路３の分岐点に設けられ風路を切り換えるダンパ６と、各分岐路３ａ、３ｂ内に設けられ、放電プラズマ素子５より発生したオゾンを除去する第１フィルタ７（分解フィルタ）及び第２フィルタ８（捕捉フィルタ）とを備える。第１フィルタ７と第２フィルタ８との種類が異なり、第１フィルタ７は、通過風速が早い場合に優れたオゾン除去性能を発揮する金属酸化物を含有するフィルタであり、第２フィルタ８は、通過風速が遅い場合に優れた除去性能を発揮する活性炭を含有するフィルタである。【選択図】図１
2008035926.tif 000002
【特許請求の範囲】
【請求項１】
通風路と、該通風路に空気を送り込む送風手段と、空気中の汚染物質を除去する放電電極と、該放電電極より発生したオゾンを除去するオゾン除去手段とを備え、前記通風路は、前記放電電極よりも下流側で少なくとも２つの分岐路に分岐され、通風路内に分岐路を切り換える風路切換手段が設けられ、各分岐路内に前記オゾン除去手段が配されていることを特徴とする空気浄化装置。
【請求項２】
各オゾン除去手段はそれぞれ種類が異なることを特徴とする請求項１記載の空気浄化装置。
【請求項３】
少なくとも１つの分岐路内に、オゾン除去手段として、オゾンを化学的に分解する分解フィルタが配置され、他の分岐路のうち少なくとも１つの分岐路内に、オゾン除去手段として、オゾンを捕捉する捕捉フィルタが配置されたことを特徴とする請求項１又は２に記載の空気浄化装置。
【請求項４】
空気の汚染度を検知する空気汚染センサが設けられ、前記風路切換手段は、該空気汚染センサによって検知される空気の汚染度が所定値よりも高い場合、分解フィルタの配された分岐路を選択し、空気の汚染度が所定値よりも低い場合、捕捉フィルタの配された分岐路を選択することを特徴とする請求項３に記載の空気浄化装置。
【請求項５】
前記通風路内の風速を検知する風速センサが設けられ、前記風路切換手段は、風速センサによって検知される風速が所定値よりも早い場合、分解フィルタの配された分岐路を選択し、風速が所定値よりも遅い場合、捕捉フィルタの配された分岐路を選択することを特徴とする請求項３に記載の空気浄化装置。
【請求項６】
前記分岐路が下流側で再び１つに合流され、その内部に浄化フィルタが配置されたことを特徴とする請求項１〜５のいずれかに記載の空気浄化装置。
【請求項７】
請求項１〜６のいずれかに記載の空気浄化装置を備えたことを特徴とする空気調節装置。
【発明の詳細な説明】
【技術分野】
【０００１】
この発明は、空気浄化装置と、この空気浄化装置を備えた空気調節装置に関する。
【背景技術】
【０００２】
近年、環境問題の顕在化、居住空間の高気密化等に伴い、人体に有害な空気中の化学物質を取り除き、健康で快適な生活を送りたいという住環境に対する要望が強くなっている。このような要望に応えるため、大気中で放電プラズマを発生させ、放電プラズマによって生成するラジカル、オゾン等の活性種が持つ強い酸化作用を利用して空気中の有害な化学物質を分解する技術を搭載した空気清浄機、空気調和機等の空気調節装置が開発され、販売されている。
【０００３】
たとえば、特許文献１には、放電プラズマによって生成するラジカルやオゾンによって臭気の分子を分解する技術を搭載した空気浄化装置が開示されている。
【特許文献１】特開２０００−１３５２８１号公報
【発明の開示】
【発明が解決しようとする課題】
【０００４】
特許文献１記載の空気浄化装置は、内部で放電プラズマが発生すると、ラジカルやオゾンが生成される。ラジカルは生成してから消滅するまでの寿命が非常に短いため、空気浄化装置の外部に排出されることはない。一方、オゾンは寿命が比較的長いため、空気浄化装置の内部でオゾンを除去しなければ、健康面から定められている基準値を超える濃度のオゾンが外部に排出される可能性がある。
【０００５】
そこで、上記空気浄化装置では、放電プラズマ発生部の下流側にオゾンを分解するためのフィルタが設置されている。
【０００６】
ここで、居住空間の空気を上記空気浄化装置の内部に取り込み、外部に排出する速度が速い場合には、居住空間の空気を浄化する速度が速い。このとき、上記フィルタの通過風速は速い。逆に、居住空間の空気を上記空気浄化装置の内部に取り込み、外部に排出する速度が遅い場合には、居住空間の空気を浄化する速度は遅いが、運転音が静かであり、電力消費量が少ないという利点がある。このとき、上記フィルタの通過風速は遅い。
【０００７】
上記空気浄化装置の使用者にとっては、居住空間の空気を浄化する速度と、運転音の静かさや電力消費量の少なさのどちらをどの程度優先するのかを選択できる方が都合がよいため、多くの場合、上記空気浄化装置は、居住空間の空気を内部に取り込み、外部に排出する速度の異なる複数の運転モードを備えている。そして、運転モードによって上記フィルタの通過風速が異なる。
【０００８】
ここで、上記フィルタを構成するオゾン分解成分にはさまざまな種類のものがあるが、上記フィルタの通過風速が速いときに優れたオゾン分解性能を持つオゾン分解成分によって上記フィルタを構成すると、上記フィルタの通過風速が遅いときのオゾン分解性能が劣るという問題があった。また、上記フィルタの通過風速が遅いときに優れたオゾン分解性能を持つオゾン分解成分によって上記フィルタを構成すると、上記フィルタの通過風速が速いときのオゾン分解性能が劣るという問題があった。
【０００９】
この問題を解決するため、上記フィルタの通過風速が速いときに優れたオゾン分解性能を持つオゾン分解成分と、上記フィルタの通過風速が遅いときに優れたオゾン分解性能を
持つオゾン分解成分との両方を、１つの通風路内に並設して上記フィルタを構成することが考えられる。しかし、この方法では、上記フィルタの空気流に対する抵抗が増える。その結果、空気浄化装置の電力消費量が増え、空気浄化装置の運転音が大きくなるという問題がある。
【００１０】
そこで、本発明は上記に鑑み、オゾンを効果的に除去できる空気浄化装置と、これを備えた空気調節装置を提供することである。
【課題を解決するための手段】
【００１１】
上記目的を達成するため、本発明は、通風路と、通風路に空気を送り込む送風手段と、空気中の汚染物質を除去する放電電極と、放電電極より発生したオゾンを除去するオゾン除去手段とを備え、通風路は、放電電極よりも下流側で少なくとも２つの分岐路に分岐され、通風路内に分岐路を切り換える風路切換手段が設けられ、各分岐路内にオゾン除去手段が配されたことを特徴とする空気浄化装置である。
【００１２】
この構成によれば、状況に応じて、風路切換手段で風路を切り換えることにより、空気を通過させる分岐路、すなわち、オゾン除去手段を変更することができる。したがって、高いオゾン除去性能を発揮することができる。また、複数のオゾン除去手段を１つの通風路内に並設しないですむ。
【００１３】
オゾン除去手段としてはフィルタが例示されるが、これに限定されるものではなく、例えば、光触媒、紫外線照射手段等の他の手段が挙げられる。
【００１４】
また、各分岐路に配されるオゾン除去手段は、同一種類のものであってもよいが、それぞれ異なる種類のものとすることができる。なお、本願におけるオゾン除去手段の「異なる種類」とは、フィルタ、光触媒、紫外線照射手段等のような手段の相違や、各手段における材質の違いのような性能の相違等のことを意味する。
【００１５】
各分岐路に配されるオゾン除去手段が同一種類の場合は、例えば、１のオゾン除去手段の性能が落ちたときに、他のオゾン除去手段に変更することができる。常に高いオゾン除去性能を保つことができる。
【００１６】
また、各分岐路に配されるオゾン除去手段が異なる種類の場合は、状況に応じて適した種類のオゾン除去手段を選択することができる。種類の異なるオゾン除去手段としては、例えば、通過風速が早い場合に優れた除去性能を発揮するオゾン除去手段と、通過風速が遅い場合に優れた除去性能を発揮するオゾン除去手段との例が挙げられる。この構成によると、送風ファンの回転速度が速い運転モードでも、遅い運転モードでもオゾンの除去率を向上させることができる。
【００１７】
通過風速が早い場合に優れた除去性能を発揮するフィルタとしては、オゾンを化学的に分解する分解フィルタが挙げられるが、これに限定されるものではない。分解フィルタとしては、金属酸化物を含有するフィルタが挙げられ、さらに、金属酸化物としては、酸化マンガンを含有するものが挙げられる。
【００１８】
また、通過風速が遅い場合に優れた除去性能を発揮するフィルタとしては、オゾンを捕捉する捕捉フィルタが挙げられるが、これに限定されるものではない。捕捉フィルタとしては、活性炭を含有するフィルタが挙げられ、さらに、活性炭としては、繊維状活性炭を含有するものが挙げられる。
【００１９】
上記構成に加えて、空気の汚染度を検知する空気汚染センサを設け、風路切換手段は、
空気汚染センサによって検知される空気の汚染度が所定値よりも高い場合、分解フィルタの配された分岐路を選択し、空気の汚染度が所定値よりも低い場合、捕捉フィルタの配された分岐路を選択する構成とすることができる。空気の汚染度とは、汚染物質の濃度及び／又はその種類のことである。
【００２０】
この構成によると、居住空間の空気の汚染度が高い場合には、通常、送風ファンの回転速度が速くなり空気浄化速度が上がるので、通過風速が速いときに優れたオゾン分解性能を持つ分解フィルタ配置された分岐路を選択することができる。また、居住空間の空気の汚染度が低い場合には、通常、送風ファンの回転速度が遅くなるので、通過風速が遅いときに優れたオゾン分解性能を持つフィルタが配置された分岐路を選択することができる。運転音を静かに、また、電力消費量を小さくすることができる。したがって、空気の汚染度に関わらず、オゾンの除去率を高くすることができる。
【００２１】
また、通風路内の風速を検知する風速センサを設け、風路切換手段は、風速センサによって検知される風速が所定値よりも早い場合、分解フィルタの配された分岐路を選択し、風速が所定値よりも遅い場合、捕捉フィルタの配された分岐路を選択する構成とすることができる。
【００２２】
この構成によると、送風ファンの回転速度が速い場合に、通過風速が速いときに優れたオゾン分解性能を持つ分解フィルタ配置された分岐路を選択することができる。また、送風ファンの回転速度が遅い場合には、通過風速が遅いときに優れたオゾン分解性能を持つフィルタが配置された分岐路を選択することができる。したがって、送風ファンの回転速度が速い運転モードでも、遅い運転モードでも汚染物質の除去率を高くすることができる。
【００２３】
また、強風で運転する第１運転モードと、弱風で運転する第２運転モードとを含む複数の運転モードを備え、風路切換手段は、第１運転モードでは分解フィルタが配された分岐路を選択し、第２運転モードでは捕捉フィルタが配された分岐路を選択する構成としてもよい。
【００２４】
この構成によると、送風ファンの回転速度が速い第１運転モード、つまり、居住空間の空気を空気浄化装置の内部に取り込み、外部に排出する速度の速い運転モードでは、通過風速が速いときに優れたオゾン分解性能を持つ分解フィルタが配置された分岐路を選択でき、また、送風ファンの回転速度が遅い第２運転モード、つまり、居住空間の空気を空気浄化装置の内部に取り込み、外部に排出する速度の遅い運転モードでは、通過風速が遅いときに優れたオゾン分解性能を持つ捕捉フィルタが配置された分岐路を選択することができる。したがって、居住空間の空気を内部に取り込み、外部に排出する速度の大きさにかかわらず、オゾンを効果的に除去できる
【００２５】
また、分岐路は下流側で再び１つに合流され、その内部に浄化フィルタが配置されている。浄化フィルタの種類としては、空気を浄化するものであれば限定されるものではないが、集塵フィルタが好ましい。この構成によると、分岐路内に配置されたフィルタから発生する粉塵が空気浄化装置の外部に排出されるのを防ぐことができる。また、集塵フィルタの配置個数を１つに節約できる。
【００２６】
また、本発明の空気調節装置は、上述した特徴の少なくともいずれかを有する空気浄化装置を備える。上記の空気浄化装置を用いた空気調節装置は、放電プラズマを利用して空気中の有害な化学物質を分解する作用を得る目的で用いることができ、具体的には、空気清浄機、空気調和機、除湿機、暖房機等に組み込んで用いることができる。
【発明の効果】
【００２７】
本発明によると、状況に応じて風路切換手段で風路を切り換えることにより、空気を通
過させるオゾン除去手段を変更することができる。したがって、高い除去性能を発揮できると共に、複数のオゾン除去手段を並設させないですむ。電力消費量が少なく、運転音の小さい空気浄化装置となる。
【発明を実施するための最良の形態】
【００２８】
以下、本発明の実施形態を図面に基づいて説明する。
【００２９】
[第一の実施形態]
図１は第一の実施形態に係る空気浄化装置の要部の概略図、図２は風路切換手段により風路を切り換えた状態を示す図である。すなわち、図１では、放電プラズマ素子の下流側の風路として、第１分岐路３ａが選択されているのに対し、図２では、放電デバイス素子の下流側の風路として、第２分岐路３ｂが選択されている。
【００３０】
図１および図２に示すように、空気浄化装置は、ケーシング（図示せず）内に、吸込口１と吹出口２とを連通すると共に、途中で第１分岐路３ａ及び第２分岐路３ｂに分岐されてなる通風路３と、通風路３の吸込口１側に配置され、吸込口１から通風路３内に空気を取り込む空気供給駆動部としての送風ファン４と、吸込口１と分岐路との間に配され、送風ファン４によって供給された空気中に放電プラズマを発生させる放電プラズマ素子５と、上流側及び下流側の両分岐点に設けられた風路切換手段としてのダンパ６と、第１分岐路３ａ内に配置され、放電プラズマ素子５にて放電プラズマとともに発生したオゾンを除去するオゾン除去部としての第１フィルタ７と、第２分岐路３ｂ内に配置され、放電プラズマ素子５にて放電プラズマとともに発生したオゾンを除去するオゾン除去部としての第２フィルタ８と、第１分岐路３ａおよび第２分岐路３ｂの下流側の通風路３内に配置され、第１フィルタ７または第２フィルタ８から発生する粉塵を除去する粉塵除去部としての第３フィルタ９と、吸込口１付近に配され、空気浄化装置の外から通風路３の内部に供給される空気の汚染度を検知するための空気汚染センサ１０と、送風ファン４の回転速度およびダンパ６等を制御する制御部１１とから構成される。
【００３１】
本空気浄化装置による空気の浄化処理工程を簡単に説明すると、まず、通風路３の上流側に配置された送風ファン４によって、矢印で示される方向に、空気浄化装置外の空気が吸込口１から通風路３内に取り込まれる。通風路３内の放電プラズマ素子５から発生するオゾン及びラジカルにより、空気中の汚染物質が分解除去される。そして、第１分岐路３ａまたは第２分岐路３ｂを通って、第１フィルタ７または第２フィルタ８によりオゾンが除去され、第３フィルタ９によって空気中の粉塵等が除去された後、清浄化された空気が吹出口２から空気浄化装置の外に排出される。なお、空気が第１分岐路３ａ及び第２分岐路３ｂのいずれを通過するかは、制御部１１がダンパ６の姿勢を制御することにより選択される。
【００３２】
通風路３は、吸込口１から１本の通路が伸び、その下流側で第１分岐路３ａ及び第２分岐路３ｂに分岐された後、再び１本に統合されて吹出口２に至る構成とされる。第１分岐路３ａと第２分岐路３ｂの断面積は同一であるが、両者で相違をつけてもよい。すなわち、第１分岐路３ａの断面積を第２分岐路３ｂの断面積よりも大きく設定すれば、送風ファン４による第１分岐路３ａ内の風速を早めることができる。送風ファン４の回転速度との相乗効果をだすことができる。
【００３３】
第１分岐路３ａ内に配される第１フィルタ７は、通過風速が速いときに優れたオゾン分解性能を持つ分解フィルタである。このようなフィルタを構成し、オゾンを分解する成分として、金属酸化物、特に、酸化マンガンを用いることが好ましい。第１フィルタ７として、例えば、アルミニウム製ハニカム形状基材の表面に、二酸化マンガン触媒を担持させたフィルタを用いることが好ましい。
【００３４】
第２分岐路３ｂ内に配される第２フィルタ８は、通過風速が遅いときに優れたオゾン分解性能を持つ捕捉フィルタである。このようなフィルタを構成し、オゾンを分解する成分として、活性炭、特に、繊維状活性炭を用いることが好ましい。第２フィルタ８として、例えば、繊維状活性炭をペーパーコルゲート形状に加工したフィルタを用いることが好ましい。
【００３５】
通風路３の吹出口側に設けられる第３フィルタ９は、粉塵除去用として集塵フィルタが用いられるが、上記第１フィルタ７又は第２フィルタ８のようなオゾン分解用のフィルタを用いてもよい。また、第３フィルタ９は、複数枚を重ねた構成、すなわち、粉塵除去、オゾン分解、におい除去等のフィルタのいずれかを単独の種類で複数枚を重ねた構成としてもよいし、または、これらの異なる種類のフィルタを組み合わせて複数枚を重ねた構成としてもよい。
【００３６】
空気汚染センサ１０は、空気の汚染度として、各種汚染物質の濃度を制御部１１へ検知する。空気汚染センサ１０としては、埃を検知するダストセンサ、臭気を検知する臭気センサ、カビ等の各種浮遊雑菌を検知する微生物センサ、一酸化炭素、二酸化炭素、アンモニア、ホルムアルデヒド、アセトアルデヒド等の各種有害ガスを検知するガスセンサ、各種揮発性有機化合物（ＶＯＣ）を検知するＶＯＣセンサ等を例示できる。これらのセンサを単独で、または複数を組み合わせて用いることができる。
【００３７】
図３は、放電プラズマ素子５の概略構造を示す図である。放電プラズマ素子５は、単位放電プラズマ素子５ａ、５ｂ、５ｃを複数本（図３では便宜上、３本の単位放電プラズマ素子を示している。）、束ねた構成になっている。それぞれの単位放電プラズマ素子５ａ、５ｂ、５ｃは、筒状の誘電体１２と、誘電体１２の外側表面を密着して覆うように取り付けられた外側電極１３と、外側電極１３と略同じ長さで密着して誘電体１２の内側表面を覆うように取り付けられた内側電極１４とから構成される。それぞれの単位放電プラズマ素子５a、５ｂ、５ｃの外側電極１３は互いに導線で接続されて等電位に保持されている。また、それぞれの単位放電プラズマ素子５a、５ｂ、５ｃの内側電極１４は互いに導線で接続されて等電位に保持されている。外側電極１３および内側電極１４は、内部に複数の開口部（図示せず）を有する。
【００３８】
電圧印加手段１５は、外側電極１３と内側電極１４の間に交流高電圧等の時間的に変化する高電圧を印加する。これにより、外側電極１３および内側電極１４の開口部の境界近傍や周縁近傍の空気中に強い電場が発生し、この強い電場により、放電プラズマが発生する。放電プラズマが発生すると、空気中の有害化学物質に対して優れた分解能力を持つ、酸素ラジカル（Ｏ・）や水酸基ラジカル（ＯＨ・）等のラジカル、オゾン（Ｏ３）が発生する。ただし、放電プラズマ素子５の構造は、放電プラズマを発生できる構造であればよく、上記構造に限定されない。
【００３９】
ダンパ６は、第２分岐路３ｂを閉塞する第１姿勢（図１）と、第１分岐路３ａを閉塞する第２姿勢(図２)とに切り換えられるように、回動自在に設けられる。ダンパ６は、分岐部分に開閉回動自在に軸支されており、ソレノイドやステッピングモータなどの駆動部（図示せず）により回動駆動される。なお、ダンパ６を分岐路３ａ、３ｂの上流側及び下流側の２箇所に設けたが、いずれか１箇所であっても構わない。
【００４０】
なお、風路切換手段としては、ダンパに限定されるものではなく、風路を切換可能であれば他の手段を用いても構わない。例えば、図４に示すように、壁面と風速を利用して切換可能としてもよい。具体的には、分岐点よりも上流側に配され、第２分岐路３ｂの開口に距離をおいて対向し、第１分岐路３ａ側へ傾斜する傾斜壁６ｂを設ける。送風ファン４
による風速が早い場合には、勢いがあるため、傾斜壁６ｂの傾斜面に衝突した風は第１分岐路側へ流れ込む。反対に、風速が遅い場合には、一部は第１分岐路３ａにも流れ込むが、傾斜壁６ｂに反発せずに、第２分岐路３ｂへ流れ込む。
【００４１】
制御部１１は、一般的なマイクロコンピューターから構成され、内部にＣＰＵ、ＲＡＭ、ＲＯＭを備えている。そして、制御部１１は、送風ファン４、放電プラズマ素子５、ダンパ６及び空気汚染センサ１０に接続され、これらを制御する。
【００４２】
制御部１１は、空気汚染センサ１０によって検知される空気の汚染度が、予め設定された所定値よりも高い場合は、送風ファン４の回転速度を速くして空気浄化速度を上げ、ダンパ６を図１に示す位置に配置する。このとき、放電プラズマ素子５の下流側の風路として第１分岐路３ａが選択される。第１分岐路３ａ内には、通過風速が速いときに優れたオゾン分解性能を持つ第１フィルタ７が配置されている。したがって、室内空気の浄化能を上げることができ、かつ、放電プラズマ素子により発生したオゾンを効果的に分解することができる。
【００４３】
また、制御部１１は、空気汚染センサ１０によって検知される空気の汚染度が、予め設定された所定値よりも低い場合は、送風ファン４の回転速度を遅くして運転音を静かに、また、電力消費量を小さくし、ダンパ６を図２に示す位置に配置する。このとき、放電プラズマ素子５の下流側の風路として第２分岐路３ｂが選択される。第２分岐路３ｂ内には、通過風速が遅いときに優れたオゾン分解性能を持つ第２フィルタ８が配置されている。したがって、消費電力の節約し、運転音を静かにできると共に、放電プラズマ素子により発生したオゾンを効果的に分解することができる。
【００４４】
上記構成によると、放電プラズマを利用する空気浄化装置であって、居住空間の空気を内部に取り込み、外部に排出する速度が速い運転モードでも、遅い運転モードでもオゾン排出濃度が低く、また、電力消費量が少なく、運転音の小さい空気浄化装置を提供することができる。
【００４５】
[第二の実施形態]
図５は本発明の第二の実施形態に係る空気浄化装置の概略図である。本形態が実施の形態１と異なるのは、通風路３内に風速センサ１６が配置され、制御部１１は、空気汚染センサ１０が検知する空気の汚染度に応じて、送風ファン４の送風速度を制御し、かつ、風速センサ１６が検知する風速に応じてダンパ６を制御する点であり、その他の基本的な構成は上記第一の実施形態と同様である。
【００４６】
そこで、各基本的な構成の作用については第一の実施形態と同様であるので、その説明を省略し、本実施形態特有の構成について簡単に説明する。
【００４７】
制御部１１は、送風ファン４、放電プラズマ素子５、ダンパ６、空気汚染センサ１０及び風速センサ１６に接続され、これらを制御する。そして、制御部１１は、空気汚染センサ１０によって検知される空気の汚染度が所定値よりも高い場合は、送風ファン４の回転速度を速くして空気浄化速度を上げ、空気汚染センサ１０によって検知される空気の汚染度が所定値よりも低い場合は、送風ファン４の回転速度を遅くして運転音を静かに、また、電力消費量を小さくする。
【００４８】
また、制御部１１は、風速センサ１６によって検知される風速が所定値よりも大きい場合は、風路として第１分岐路３ａが選択されるように、ダンパ６を移動させ（図５）、逆に、風速センサによって検知される風速が所定値よりも小さい場合は、風路として第２分岐路３ｂが選択されるように、ダンパ６を移動させる。
【００４９】
上記構成によると、通風路３内の風速を直接計測することができるので、その状況に適したフィルタをより確実に選択することができる。したがって、オゾンの除去効率が上がる。
【００５０】
なお、本発明は上記第一及び第二の実施形態に限定されるものではなく、本発明の範囲内で上記実施形態に多くの修正及び変更を加え得ることは勿論である。例えば、上記の実施形態では、空気汚染センサ１０及び／又は風速センサ１６からの検知により、自動的に風路を切り換えたが、強風で運転する第１運転モード及び弱風で運転する第２運転モードを含む複数の運転モードと、これらを選択する入力手段とを備え、使用者により入力された運転モードで運転するように送風ファン４及びダンパ６を制御するようにしてもよい。
【００５１】
すなわち、制御部１１は、第１運転モードが入力されると、送風ファン４の風速を大とし、第１フィルタ７が配された第１分岐路３ａに風路を切り換えるようにダンパ６を制御する。また、第２運転モードが入力されると、送風ファン４の風速を第１運転モードよりも遅くし、第２フィルタ８が配された第２分岐路３ｂに風路を切り換えるようにダンパ６を制御する。使用者の好む運転モードで運転できると共に、どちらの運転モードを選択したとしても高いオゾン除去率を発揮できる。
【図面の簡単な説明】
【００５２】
【図１】第一の実施形態に係る空気浄化装置の要部の概略図
【図２】第一の実施形態に係る空気浄化装置において、風路切換手段により風路を切り換えた状態を示す図
【図３】第一の実施形態に係る空気浄化装置に係る放電プラズマ素子の概略構造を示す図
【図４】他の実施形態に係る空気浄化装置の要部の概略図
【図５】第二の実施形態に係る空気浄化装置の要部の概略図
【符号の説明】
【００５３】
１    吸込口
２    吹出口
３    通風路
３ａ  第１分岐路
３ｂ  第２分岐路
４    送風ファン
５    放電プラズマ素子
６    ダンパ
７    第１フィルタ
８    第２フィルタ
９    第３フィルタ
１０  空気汚染センサ
１１  制御部
１６  風速センサ
【図１】
2008035926.tif 000003
【図２】
2008035926.tif 000004
【図３】
2008035926.tif 000005
【図４】
2008035926.tif 000006
【図５】
2008035926.tif 000007